(57)【要約】      （修正有）【課題】生体情報を正確に把握することができ、施術を受ける人の癒し効果が高い温熱流体自動滴下装置を提供する。【解決手段】適宜の粘性を有した流体を循環させるポンプと、流体を所定の温度に加温するヒータと、流体を被施術者１２の所定部分に滴下させるノズルを有する。ノズルを保持し被施術者１２の所定部分の上方で移動する移動装置１８と、移動装置１８を所定のパターンに移動させるモータを有する。被施術者１２の心拍を検知する心拍センサ３０と、心拍センサ３０からの情報を基に被施術者の心理状態を解析し、流体の移動や温度、流量を調節する制御部を備える。【選択図】図１
0003162041.tif 000002
【実用新案登録請求の範囲】
【請求項１】
適宜の粘性を有した流体を循環させるポンプと、この流体を所定の温度に加温するヒータと、前記流体を被施術者の所定部分に滴下させるノズルと、このノズルを保持し前記被施術者の所定部分の上方で移動する移動装置と、この移動装置を所定のパターンに移動させる駆動装置と、被施術者の心拍信号を検知する心拍センサと、この心拍センサからの情報を基に被施術者の心拍数情報をＦＦＴ解析し、全周波数成分に対する高周波成分の比率を求め、この比率の値が上昇するように前記流体の移動や温度、流量を調節する制御部とを備えたことを特徴とする温熱流体自動滴下装置。
【請求項２】
前記制御部には受信機が接続され、前記心拍センサには、検知した心拍信号を制御部へ無線送信する送信機が接続されている請求項１記載の温熱流体自動滴下装置。
【請求項３】
前記制御部は、被施術者の心拍信号の心拍変動周波数解析値の変化により、前記流体の温度、移動速度、及び流量のうちの少なくとも一つの値を徐々に上げ又は下げる請求項１記載の温熱流体自動滴下装置。
【請求項４】
前記制御部は、被施術者の足の皮膚温度を検知して、前記流体の制御を行う請求項２記載の温熱流体自動滴下装置。
【考案の詳細な説明】
【技術分野】
【０００１】
この考案は、温油を頭部に滴下して、心身のリフレッシュや種々の症状を癒す頭部滴油療法等を行うための温熱流体自動滴下装置に関する。
【背景技術】
【０００２】
温かいごま油を額に滴下することにより、心と体を癒すインドの伝統療法であるシローダーラーと称される療法がある。このシローダーラーは、ごま油を適切に滴下することが必要であり、本場のインドでは名人がゴマ油の入った容器を手で持ちながら額に油を垂らしている。垂らす油の温度、流量、移動パターン、移動速度などは、各名人固有のノウハウとなっている。また、伝統的なシローダーラーの療法では、ごま油の温度や滴下位置をゆっくりと移動させるなどの操作は、慣れない施術者にとってかなりのストレスになっていた。さらに、施術者の精神状態やオイル温度の変化、移動速度などは、被施術者に大きな影響を及ぼすものであり、施術者が楽に療法を行い、且つ被施術者も快適に感じることが重要である。
【０００３】
そこで、このシローダーラーである頭部滴油療法を行うために、温油を機械装置により自動的に滴下する装置として、特許文献１に開示されているものがあった。この温熱流体滴下装置は、粘性を有した油や乳液等の流体を循環させる流体ポンプと、この流体を所定の温度に加温するヒータと、流体を被施術者の額部分等に滴下させるノズル部と、このノズル部を保持し被施術者の上方を移動する摺動装置等の移動機構と、この移動機構を所定のパターンで移動させるモータや制御装置等の駆動装置とを備えたものである。上記温熱流体は、額に滴下された後回収され、再び流体ポンプでノズル部に送られる。さらに、温熱流体が滴下される人の体温、脈拍、心電図、血圧、脳波等の生体情報を検知する生体情報センサが設けられ、各生体情報センサから得られたデータを基にして、流体温度、流量、ノズルの移動パターン等を制御するものである。
【先行技術文献】
【特許文献】
【０００４】
【特許文献１】特開２００３−１９２０３号公報
【考案の概要】
【考案が解決しようとする課題】
【０００５】
しかし、特許文献１の温熱流体滴下装置は、具体的に心拍数等と癒しの効果が関連づけられたものではなく、十分な癒し等の効果が得られないものであった。
【０００６】
この考案は、上記背景技術に鑑みてなされたもので、生体情報を正確に把握することができ、施術を受ける人のリフレッシュや癒しの効果が高い温熱流体自動滴下装置を提供することを目的とする。
【課題を解決するための手段】
【０００７】
この考案は、適宜の粘性を有した流体を循環させるポンプと、この流体を所定の温度に加温するヒータと、前記流体を被施術者の所定部分に滴下させるノズルと、このノズルを保持し前記被施術者の所定部分の上方で移動する移動装置と、この移動装置を所定のパターンに移動させる駆動装置と、被施術者の心拍信号を検知する心拍センサと、この心拍センサからの情報を基に被施術者の心拍数情報をＦＦＴ解析し、全周波数成分に対する高周波成分の比率を求め、この比率の値が上昇するように前記流体の移動や温度、流量を調節する制御部とを備えた温熱流体自動滴下装置である。
【０００８】
前記制御部には受信機が接続され、前記心拍センサには、検知した心拍信号を制御部へ無線送信する送信機が接続されているものである。また、前記制御部は、被施術者の心拍信号の心拍変動周波数解析値の変化により、ごま油の温度、移動速度、及び流量のうちの少なくとも一つの値を徐々に上げ又は下げるものである。さらに、前記制御部は、被施術者の足の皮膚温度を検知して、前記流体の制御を行うものである。
【考案の効果】
【０００９】
この考案の温熱流体自動滴下装置は、所定の温度の流体を安定に滴下し、受ける人にとって最適な状態で、効果的にシローダーラー等の施術を施すことができる。これにより、被施術者の癒し効果を簡単且つ確実に得ることができ、鬱病等の予防にも繋がるものである。
【図面の簡単な説明】
【００１０】
【図１】この考案の一実施形態の温熱流体自動滴下装置の使用状態を示す斜視図である。
【図２】この実施形態の温熱流体自動滴下装置の正面図である。
【図３】この実施形態の温熱流体自動滴下装置の平面図である。
【図４】この実施形態の温熱流体自動滴下装置の右側面図である。
【図５】この実施形態の温熱流体自動滴下装置の概略ブロック図である。
【図６】この考案の温熱流体自動滴下装置による施術時の被施術者の心拍数等のデータを示すグラフである。
【考案を実施するための形態】
【００１１】
以下、この考案の実施の形態について説明する。この実施形態の温熱流体自動滴下装置１０は、適宜の粘性を有した植物油等の流体、例えばごま油を温めて額に滴下するとともに、循環させるものである。この温熱流体自動滴下装置１０には、図１〜図５に示すように、被施術者１２が仰向けに横たわるベッド１５が設けられ、被施術者１２の頭部１３が位置するベッド１５の端部に温熱流体自動滴下装置１０が位置している。温熱流体自動滴下装置１０には、被施術者１２の額１４の上方に、ごま油を滴下させるノズル配管１６が設けられている。このノズル配管１６の先端部にはボウル１７が吊され、その底部には、ノズル配管１６に接続しごま油を滴下するノズル１９が設けられている。ボウル１７は、外観的にインドの伝統的療法に見えるようにしたもので、ごま油を溜めるものではない。
【００１２】
ノズル配管１６は、移動装置１８により任意の水平方向に駆動され、移動装置１８は、図示しない駆動装置に取り付けられている。駆動装置は、図５に示すように、モータ２０を有し、水平方向に互いに直交した水平軸上を移動可能に設けられている。ごま油は、装置本体２２内の図示しないタンク内に収容され、ポンプ１１及び配管を介してノズル部１６に流れる。被施術者１２の頭部１３が位置する装置本体２２の上面には、頭部１３を受けるシャンプーボール２４が取り付けられ、額１４に滴下されたごま油を下方のタンクに回収可能に設けられている。
【００１３】
装置本体２２内には、図５に示すように、ごま油を所定の温度であるほぼ人体温度またはそれよりもわずかに高い温度に調節するヒータ２３が設けられている。ヒータ２３には、そのヒータ温度または周囲のごま油の温度を検知するオイル温度センサ２５が設けられ、オイル温度センサ２５の出力情報は、この温熱流体自動滴下装置１０を制御するパソコン等の制御部２６へ出力される。
【００１４】
制御部２６には、ごま油が滴下される被施術者１２の足皮膚温度を測定する身体温度センサ２８と、被施術者１２の心拍を検知する心拍センサ３０からの信号を受信する無線の受信機３２が接続されている。さらに、身体温度センサ２８と心拍センサ３０は、検知した心拍信号等を制御部２６の受信機３２へ無線送信する送信機３１に接続されている。
【００１５】
この実施形態の温熱流体自動滴下装置１０の動作は、ノズル配管１６から温かいごま油を、ノズル１９を経て額１４に滴下しながら、額１４上を往復する。この往復パターンは、単に額１４を緩やかなカーブで横切るものや、額１４を左右に往復するもの、額１４上を身体長手方向に往復しながら左右に移動するもの等がある。
【００１６】
温熱流体自動滴下装置１０は、滴下動作に先立ち、先ず、温熱流体自動滴下装置１０の制御部２６が、施術前の安静時の被施術者生体信号である心拍数と足皮膚温度により、パソコン内蔵のアルゴリズムソフトにより解析を行う。その解析結果により、施術前の諸条件を決定する。
【００１７】
次に、ごま油を滴下しながら制御部２６において、心拍センサ３０の心拍信号データを解析する。心拍信号データは、送信機３１から無線により受信機３２を経て得られる。そして、ごま油１０の温度、流量、ノズル部１６の移動パターン等を最適に制御する。例えば、心拍変動周波数解析値の変化により、ごま油の温度を上昇させたり、移動速度を遅くしたり、流量を徐々に上げたりする。特にこの考案の実施形態では、心拍信号を解析し、さらに足の甲部の温度変化を捉えて、ごま油の温度や速度、移動パターンを調節する。
【００１８】
心拍数を基にした心拍変動周波数解析値の変化による制御の方法は、心臓１拍１拍の間隔（Ｒ−Ｒ間隔という）の連続データ（１ｍｓｅｃ単位）をＦＦＴ解析（Fast Fourier Transform、心拍変動スペクトル解析）することにより、ＨＦ、ＬＦ、ＴＦ、心拍変動係数の値を算出する。ここで、ＨＦとは副交感神経活動の指標とされる心拍信号高周波成分、ＴＦとは心拍信号全周波数成分、ＬＦとは心拍信号低周波成分を指す。心拍変動係数は、（心拍間隔１００拍分の標準偏差）／（心拍間隔１００拍分の平均）×１００で表される。
【００１９】
そして、ＨＦ／ＴＦの値をＦＦＴ解析ソフトで計算する。この変化比（施術前のベンチマーク値との比）は、不安軽減率の値と相関がある。さらに、足の皮膚温度も測定する。そして、被験者の心拍の間隔を連続的に観察し、それをＦＦＴ解析することによって、被験者の心地よさを観測し、より心地よい状態を作り出すようにごま油の滴下状態を制御する。
【００２０】
この実施形態の温熱流体自動滴下装置１０は、ポンプ１１やモータ１３，２０等により、安定した流量で均一な動作が得られ、施術者によるバラツキがなく、熟練者と同様のゆったりとした高品質の施術が可能となる。また、被施術者１２の心拍数をモニタしながらごま油の温度や流量、動作パターンを変えることができ、被施術者１２に合わせた施術も容易に可能となる。そして、額１４に温かいごま油を滴下することにより、人の脳を安静化させるとともに活性を促進し、心を癒す効果を得ることができる。
【００２１】
なお、この考案の温熱流体自動滴下装置に用いられる流体は、ごま油以外の天然の油や各種合成油でも良く、牛乳やその他のコロイド溶液や乳液でも良く、適宜の粘性のある液体であれば良い。さらに、ここで用いたごま油等の油の処理としては、流体を循環させる際にフィルタを通し、１１０〜１２０℃に加熱した後殺菌し、冷却して循環させるようにすれば、同じ流体を長期間循環させて使用することも可能である。
【００２２】
この考案の温熱流体自動滴下装置の動作は、制御装置により自動化されたものの他、この療法を受ける人がリモコン装置で好みの温度や流量に制御できるようにしても良く、音声認識技術を用いて、音声で液体の温度や流量を調節可能としても良い。また、各種生体情報センサからのデータを記憶しておき、その人のデータとして施術毎に記録し、経時的な変化のデータとしてその人の治療や健康指導に供することも可能である。
【００２３】
また、駆動装置には、上記流体が滴下される被施術者の部位、例えば頭部を認識する画像センサを設け、画像センサの出力から額等の滴下部位を認識し、この認識データを基にして、移動機構の移動パターンを制御するようにしても良い。これにより、頭部等を動かしても自動的に移動機構が追尾し、所定の部位に流体を滴下することができる。
【実施例１】
【００２４】
図６に、この考案の温熱流体自動滴下装置を使用した場合の、被施術者のＨＦ／ＴＦ、足皮膚温度、心拍数、心拍数変動の各データを示す。図示されるように、温油の滴下後、足皮膚温度は上昇し、心拍数は減少している。そして、ＨＦ／ＴＦの値が徐々に上昇している。心拍変動係数も徐々に上昇し、リラックス度が増していることが分かった。従って、ごま油等の温油の額への滴下により、副交感神経活動の指標とされる高周波成分の割合が上昇し、精神状態が安定し心のリフレッシュや癒しの効果が表れていることが確認された。
【符号の説明】
【００２５】
１０  温熱療法用装置
１１  ポンプ
１２  被施術者
１４  額
１６  ノズル配管
１８  移動装置
１９  ノズル
２０  モータ
２２  装置本体
２３  ヒータ
２６  制御部
３０  心拍センサ
【図１】
0003162041.tif 000003
【図２】
0003162041.tif 000004
【図３】
0003162041.tif 000005
【図４】
0003162041.tif 000006
【図５】
0003162041.tif 000007
【図６】
0003162041.tif 000008